(57)【特許請求の範囲】
【請求項１】
レンズ部を介して被写体を撮像して該被写体の電子的な画像データを生成する撮像部を備え、前記画像データに対して複数の画像処理を組み合わせることにより視覚的な効果を生じさせることが可能な複数の特殊効果処理のいずれか一つ以上を選択して実行することが可能な撮像装置であって、
前記画像データに対応する画像を表示する表示部と、
撮影前に設定された当該撮像装置に対する一または複数の設定条件によって定まる撮影時の制御限界に基づいて、前記複数の特殊効果処理のいずれか一つ以上を推奨する推奨部と、
前記推奨部が推奨した前記特殊効果処理に関する情報を前記表示部に表示させる表示制御部と、
を備えたことを特徴とする撮像装置。
【請求項２】
前記設定条件は、シャッター速度、絞り値、撮影感度および前記レンズ部の繰り出し量を含み、
前記制御限界は、前記シャッター速度、前記絞り値および前記撮影感度によって定まる露出の露出限界と、前記画像データのコントラストおよび前記繰り出し量に基づいて定まる前記被写体にピントを合わせる際の至近限界とであることを特徴とする請求項１に記載の撮像装置。
【請求項３】
前記特殊効果処理の選択結果に基づいて、前記制御限界を変更する制御限界変更部をさらに備えたことを特徴とする請求項２に記載の撮像装置。
【請求項４】
前記制御限界変更部は、前記画像データを記録する際の画素ピッチに応じて、前記絞り値を変更することを特徴とする請求項３に記載の撮像装置。
【請求項５】
前記制御限界変更部が変更した前記制御限界に基づいて、前記制御限界に達しているか否かを判定する制御限界判定部をさらに備えたことを特徴とする請求項３または４に記載の撮像装置。
【請求項６】
前記撮像部は、
前記レンズ部が集光した光の入射量を制限する絞り部と、
前記レンズ部が集光した光を受光して光電変換を行う撮像素子と、
前記撮像素子の状態を露光状態または遮光状態に設定するシャッター部と、
前記撮像素子が出力する電気信号を増幅する信号処理部と、
を有し、
前記設定条件に基づいて、前記レンズ部、前記絞り部、前記撮像素子、前記シャッター部および前記信号処理部をそれぞれ制御する撮影制御部をさらに備え、
前記制御限界判定部は、前記撮影制御部による前記制御限界を判定することを特徴とする請求項５に記載の撮像装置。
【請求項７】
前記表示制御部は、前記制御限界判定部が前記撮影制御部による前記制御限界を判定した場合、前記撮影制御部が前記制御限界であることを示す情報を前記表示部に表示させることを特徴とする請求項６に記載の撮像装置。
【請求項８】
前記画像データに対して前記特殊効果処理を行う画像処理部と、
前記画像処理部が実行可能な前記特殊効果処理の選択を指示する指示信号の入力を受け付ける入力部と、
前記入力部から入力される前記指示信号に応じて、前記画像処理部が行うべき前記特殊効果処理を設定する特殊効果設定部と、
をさらに備えたことを特徴とする請求項１〜７のいずれか一つに記載の撮像装置。
【請求項９】
前記特殊効果処理は、ぼかし処理、シェーディング追加処理、ノイズパターン重畳処理、エッジ混合処理および画像合成処理のいずれか一つ以上を含むことを特徴とする請求項１〜８のいずれか一つに記載の撮像装置。
【請求項１０】
前記特殊効果設定部は、前記設定条件または前記被写体の条件に応じて、前記画像処理部が行うべき前記特殊効果処理の組み合わせの配分または強度を変更して前記画像処理部が行うべき前記特殊効果処理を設定することを特徴とする請求項８に記載の撮像装置。
【請求項１１】
レンズ部を介して被写体を撮像して該被写体の電子的な画像データを生成する撮像部を備え、前記画像データに対して複数の画像処理を組み合わせることにより視覚的な効果を生じさせることが可能な複数の特殊効果処理のいずれか一つ以上を選択して実行することが可能な撮像装置に、
前記画像データに対応する画像を表示する表示ステップと、
撮影前に設定される当該撮像装置に対する一または複数の設定条件によって定まる撮影時の制御限界に基づいて、前記複数の特殊効果処理のいずれか一つ以上を推奨する推奨ステップと、
前記推奨ステップが推奨した前記特殊効果処理に関する情報を前記表示ステップで表示させる表示制御ステップと、
を実行させることを特徴とする撮像プログラム。
【発明の詳細な説明】
【技術分野】
【０００１】
本発明は、被写体を撮像して電子的な画像データを生成する撮像装置および撮像プログラムに関する。
【背景技術】
【０００２】
従来から、デジタルカメラやデジタルビデオカメラ等の撮像装置において、撮影時の露出や撮影感度等を自動的に設定することができる技術が知られている。たとえば、撮像装置に設けられた撮像素子の性能に応じて、絞りによる露出調整を制御する技術が知られている（特許文献１参照）。この技術では、撮像素子の画素ピッチに応じて、絞り値の範囲を変更することによって、回折現象による画像の劣化を防止することができるようになっている。
【０００３】
また、撮像装置に設定された撮影モード、たとえばマクロ撮影モードに応じて、撮影時の撮影感度および絞り値を調整し、被写体に対するピント合わせの許容度を高めることによって、撮影を容易に行うことができる撮像装置が知られている（特許文献２参照）。
【先行技術文献】
【特許文献】
【０００４】
【特許文献１】特開２００２−１７６５８５号公報
【特許文献２】特開平５−６６４５４号公報
【発明の概要】
【発明が解決しようとする課題】
【０００５】
ところで、従来の撮像装置では、ユーザが撮影時にマニュアル操作（手動）で絞り値、シャッター速度（ＳＳ）または撮影感度（ＩＳＯ感度）それぞれのパラメータを変更して撮影時における撮像装置の各種設定条件を設定することができる。しかしながら、マニュアル操作によって設定された撮像装置の各種設定条件に従って、撮像装置を構成する各種の構成を制御しながら撮影を行っても、撮像装置の各種設定条件によって定まる適切な制御限界がある。このため、撮影装置に設定された各種設定条件によって定まる制御限界を超えた状態で撮影した場合、撮像した画像に手ブレ、ノイズまたはボケ等の乱れが生じていた。
【０００６】
一方、ユーザによっては、敢えて乱れが生じた画像を表現の一つとして積極的に楽しみたい場合もある。さらに、乱れが生じた画像に対して視覚的な効果を生じさせる特殊効果処理を施すことにより、より一層表現が優れたものになる場合があるうえ、特殊効果処理によっては、撮像装置に設定された各種設定条件によって定まる制御限界も緩和することも可能である。
【０００７】
本発明は、上記に鑑みてなされたものであって、撮影時に設定された撮像装置に対する一または複数の設定条件によって定まる制御限界に適した特殊効果の選択の指針となる情報をユーザに提示することができる撮像装置および撮像プログラムを提供することを目的とする。
【課題を解決するための手段】
【０００８】
上述した課題を解決し、目的を達成するために、本発明にかかる撮像装置は、レンズ部を介して被写体を撮像して該被写体の電子的な画像データを生成する撮像部を備え、前記画像データに対して複数の画像処理を組み合わせることにより視覚的な効果を生じさせることが可能な複数の特殊効果処理のいずれか一つ以上を選択して実行することが可能な撮像装置であって、前記画像データに対応する画像を表示する表示部と、撮影前に設定された当該撮像装置に対する一または複数の設定条件によって定まる撮影時の制御限界に基づいて、前記複数の特殊効果処理のいずれか一つ以上を推奨する推奨部と、前記推奨部が推奨した前記特殊効果処理に関する情報を前記表示部に表示させる表示制御部と、を備えたことを特徴とする。
【０００９】
また、本発明にかかる撮像装置は、上記発明において、前記設定条件は、シャッター速度、絞り値、撮影感度および前記レンズ部の繰り出し量を含み、前記制御限界は、前記シャッター速度、前記絞り値および前記撮影感度によって定まる露出の露出限界と、前記画像データのコントラストおよび前記繰り出し量に基づいて定まる前記被写体にピントを合わせる際の至近限界とであることを特徴とする。
【００１０】
また、本発明にかかる撮像装置は、上記発明において、前記特殊効果処理の選択結果に基づいて、前記制御限界を変更する制御限界変更部をさらに備えたことを特徴とする。
【００１１】
また、本発明にかかる撮像装置は、上記発明において、前記制御限界変更部は、前記画像データを記録する際の画素ピッチに応じて、前記絞り値を変更することを特徴とする。
【００１２】
また、本発明にかかる撮像装置は、上記発明において、前記制御限界変更部が変更した前記制御限界に基づいて、前記制御限界に達しているか否かを判定する制御限界判定部をさらに備えことを特徴とする。
【００１３】
また、本発明にかかる撮像装置は、上記発明において、前記撮像部は、前記レンズ部が集光した光の入射量を制限する絞り部と、前記レンズ部が集光した光を受光して光電変換を行う撮像素子と、前記撮像素子の状態を露光状態または遮光状態に設定するシャッター部と、前記撮像そしが出力する電気信号を増幅する信号処理部と、を有し、前記設定条件に基づいて、前記レンズ部、前記絞り部、前記撮像素子、前記シャッター部および前記信号処理部をそれぞれ制御する撮影制御部をさらに備え、前記制御限界判定部は、前記撮影制御部による前記制御限界を判定することを特徴とする。
【００１４】
また、本発明にかかる撮像装置は、上記発明において、前記表示制御部は、前記制御限界判定部が前記撮影制御部による前記制御限界を判定した場合、前記撮影制御部が前記制御限界であることを示す情報を前記表示部に表示させることを特徴とする。
【００１５】
また、本発明にかかる撮像装置は、上記発明において、前記画像データに対して前記特殊効果処理を行う画像処理部と、前記画像処理部が実行可能な前記特殊効果処理の選択を指示する指示信号の入力を受け付ける入力部と、前記入力部から入力される前記指示信号に応じて、前記画像処理部が行うべき前記特殊効果処理を設定する特殊効果設定部と、をさらに備えたことを特徴とする。
【００１６】
また、本発明にかかる撮像装置は、上記発明において、前記特殊効果処理は、ぼかし処理、シェーディング追加処理、ノイズパターン重畳処理、エッジ混合処理および画像合成処理のいずれか一つ以上を含むことを特徴とする。
【００１７】
また、本発明にかかる撮像装置は、上記発明において、前記特殊効果設定部は、前記設定条件または前記被写体の条件に応じて、前記画像処理部が行うべき前記特殊効果処理の組み合わせの配分または強度を変更して前記画像処理部が行うべき前記特殊効果処理部を設定することを特徴とする。
【００１８】
また、本発明にかかる撮像プログラムは、レンズ部を介して被写体を撮像して該被写体の電子的な画像データを生成する撮像部を備え、前記画像データに対して複数の画像処理を組み合わせることにより視覚的な効果を生じさせることが可能な複数の特殊効果処理のいずれか一つ以上を選択して実行することが可能な撮像装置に実行する撮像プログラムであって、前記画像データに対応する画像を表示する表示ステップと、撮影前に設定される当該撮影装置に対する一または複数の設定条件によって定まる撮影時の制御限界に基づいて、前記複数の特殊効果処理のいずれか一つ以上を推奨する推奨ステップと、前記推奨ステップが推奨した前記特殊効果処理に関する情報を前記表示ステップで表示させる表示制御ステップと、を実行することを特徴とする。
【発明の効果】
【００１９】
本発明によれば、推奨部が撮影前に設定された撮像装置に対する一または複数の設定条件によって定まる撮影時の制御限界に基づいて、撮像装置が実行可能な特殊効果処理のいずれか一つ以上を推奨し、表示制御部が推奨部によって推奨された特殊効果処理に関する情報を表示部に表示させる。これにより、撮影時に設定された撮像装置に対する一または複数の設定条件によって定まる制御限界に適した特殊効果処理の選択の指針となる情報をユーザに提示することができるという効果を奏する。
【図面の簡単な説明】
【００２０】
【図１】図１は、本発明の一実施の形態にかかる撮像装置の被写体に面する側の構成を示す図である。
【図２】図２は、本発明の一実施の形態にかかる撮像装置のユーザに面する側の構成を示す図である。
【図３】図３は、本発明の一実施の形態にかかる撮像装置の構成を示すブロック図である。
【図４】図４は、本発明の一実施の形態にかかる撮像装置の特殊効果情報記憶部が記憶する特殊効果処理における画像処理の組み合わせ情報としての特殊効果処理情報テーブルを示す図である。
【図５】図５は、本発明の一実施の形態にかかる撮像装置の撮影制御部による制御限界を模式的に説明する図である。
【図６】図６は、図５（ａ）に示す状況下において撮像素子が生成する画像データに対応する画像の一例を示す図である。
【図７】図７は、図５（ｂ）に示す状況下において撮像素子が生成する画像データに対応する画像の一例を示す図である。
【図８】図８は、図５（ｅ）に示す状況下において撮像素子が生成する画像データに対応する画像の一例を示す図である。
【図９】図９は、図７に示す画像に特殊効果処理部が特殊効果処理を行った画像の一例を示す図である。
【図１０】図１０は、図７に示す画像に特殊効果処理部が特殊効果処理を行った画像の一例を示す図である。
【図１１】図１１は、図８に示す画像に特殊効果処理部が特殊効果処理を行った画像の一例を示す図である。
【図１２】図１２は、本発明の一実施の形態にかかる撮像装置が行う処理の概要を示すフローチャートである。
【図１３】図１３は、本発明の一実施の形態にかかる撮像装置の表示部が表示するメニュー画面の一例を示す図である。
【図１４】図１４は、本発明の一実施の形態にかかる撮像装置の表示部が表示する特殊効果処理操作メニュー画面の一例を示す図である。
【図１５】図１５は、本発明の一実施の形態にかかる撮像装置の表示部が表示する画像の一例を示す図である。
【図１６】図１６は、本発明の一実施の形態にかかる撮像装置の表示部が表示する画像の一例を示す図である。
【図１７】図１７は、本発明の一実施の形態にかかる撮像装置の表示部が表示する画像の一例を示す図である。
【図１８】図１８は、図１２に示したパラメータ切換処理の概要を示すフローチャートである。
【図１９】図１９は、本発明の一実施の形態にかかる撮像装置の制御限界変更部が設定する絞り値の制御限界を概念的に説明する図である。
【図２０】図２０は、図１２に示したＡＦ・ＡＥ処理の概要を示すフローチャートである。
【図２１】図２１は、図１２に示した表示処理の概要を示すフローチャートである。
【図２２】図２２は、本発明の一実施の形態にかかる撮像装置の表示部が表示する画像の一例を示す図である。
【図２３】図２３は、本発明の一実施の他の形態にかかる撮像装置の特殊効果情報記憶部が記憶する特殊効果処理における画像処理の組み合わせ情報としての特殊効果処理情報テーブルの一例を示す図である。
【発明を実施するための形態】
【００２１】
以下に、図面を参照して、本発明を実施するための形態（以下、「実施の形態」という）について説明する。なお、以下に説明する実施の形態によって本発明が限定されるものではない。また、図面の記載において、同一の部分には同一の符号を付している。
【００２２】
図１は、本発明の一実施の形態にかかる撮像装置の被写体に面する側（前面側）の構成を示す図である。図２は、本発明の一実施の形態にかかる撮像装置のユーザに面する側（背面側）の構成を示す図である。図３は、本発明の一実施の形態にかかる撮像装置の構成を示すブロック図である。
【００２３】
図１〜図３に示すように、撮像装置１は、撮像部２と、発光部３と、測光部４と、タイマー５と、操作入力部６と、表示部７と、タッチパネル８と、記憶部９と、通信部１０と、制御部１１と、を備える。
【００２４】
撮像部２は、レンズ部２１と、レンズ駆動部２２と、絞り部２３と、絞り駆動部２４と、シャッター部２５と、シャッター駆動部２６と、撮像素子２７と、撮像駆動部２８と、信号処理部２９と、を有する。
【００２５】
レンズ部２１は、フォーカスおよびズーム可能な複数のレンズによって構成され、所定の視野領域から光を集光する。レンズ駆動部２２は、ステッピングモータやＤＣモータ等を用いて構成され、レンズ部２１のレンズ群を光軸Ｌ１上に沿って移動させることにより、レンズ部２１のピント位置や焦点距離等の変更を行う。
【００２６】
絞り部２３は、レンズ部２１が集光した光の入射量を制限することにより露出の調整を行う。絞り駆動部２４は、ステッピングモータ等によって構成され、絞り部２３を駆動する。
【００２７】
シャッター部２５は、撮像素子２７の状態を露光状態または遮光状態に設定する。シャッター駆動部２６は、ステッピングモータ等によって構成され、レリーズ信号に応じてシャッター部２５を駆動する。
【００２８】
撮像素子２７は、ＣＣＤ（Charge  Coupled  Device）またはＣＭＯＳ（Complementary  Metal  Oxide  Semiconductor）等によって構成される。撮像素子２７は、レンズ部２１が集光した光を受光して光電変換を行うことによって、光を電気信号（アナログ信号）に変換する。撮像駆動部２８は、撮像素子２７を駆動するタイミングパルスを生成し、撮像素子２７が光電変換した電気信号を信号処理部２９に出力させる。
【００２９】
信号処理部２９は、アナログアンプやＡ／Ｄ変換器等によって構成される。信号処理部２９は、撮影感度に応じて撮像素子２７から出力される電気信号に増幅（ゲイン調整）等の信号処理を施した後、Ａ／Ｄ変換を行うことによってデジタルの画像データに変換して制御部１１に出力する。
【００３０】
発光部３は、キセノンランプまたはＬＥＤ（Light  Emitting  Diode）等を用いて構成される。発光部３は、撮像装置１が撮像する視野領域へ向けて補助光であるストロボ光を照射する。
【００３１】
測光部４は、制御部１１を介して画像データを取得して被写体の輝度を検出し、この検出した輝度に基づいて、静止画または動画の露出条件を算出して制御部１１に出力する。
【００３２】
タイマー５は、計時機能や撮影日時の判定機能を有する。タイマー５は、撮像された画像データに日時データを付加させるため、制御部１１に日時データを出力する。
【００３３】
操作入力部６は、撮像装置１の電源状態をオン状態またはオフ状態に切換える電源スイッチ６１と、静止画撮影の指示を与えるレリーズ信号の入力を受け付けるレリーズスイッチ６２と、撮像装置１に設定された各種撮影モードを切換える撮影モード切換スイッチ６３と、撮像装置１の各種設定を切換える操作スイッチ６４と、撮像装置１の各種設定（撮影条件）を表示部７に表示させるメニュースイッチ６５と、撮像部２の画角を変更する指示信号の入力を受け付けるズームスイッチ６６と、を有する。
【００３４】
表示部７は、液晶または有機ＥＬ（Electro  Luminescence）等からなる表示パネルを用いて実現される。表示部７は、撮像部２が生成する画像データに対応する画像を表示する。表示部７は、撮像装置１の操作情報および撮影に関する情報を適宜表示する。
【００３５】
タッチパネル８は、表示部７の表示画面上に重ねて設けられる（図２を参照）。タッチパネル８は、ユーザが表示部７で表示される情報に基づいて接触（タッチ）した位置を検出し、この接触位置に応じた操作信号の入力を受け付ける。一般に、タッチパネルとしては、抵抗膜方式、静電容量方式、光学式等がある。本実施の形態では、いずれの方式のタッチパネルであっても適用可能である。なお、本実施の形態では、タッチパネル８が入力部として機能する。
【００３６】
記憶部９は、撮像装置１の内部に固定的に設けられるフラッシュメモリやＲＡＭ（Random  Access  Memory）等の半導体メモリを用いて実現される。記憶部９は、撮像部２が撮像した画像データを記憶する画像データ記憶部９１と、撮像装置１が実行する各種プログラムおよび撮像プログラムを記録するプログラム記憶部９２と、画像データに施す各種特殊効果処理（アートフィルタ）の内容を記憶する特殊効果情報記憶部９３と、撮像素子２７の画素ピッチに関する情報を記憶する画素ピッチ情報記憶部９４と、撮像装置１が自動露出（ＡＥ）制御を行う際に参照するプログラム線図情報記憶部９５と、を有する。
【００３７】
通信部１０は、通信インターフェースとしての機能を有し、ネットワーク（図示せず）を介してサーバ（図示せず）やパーソナルコンピュータ等の外部処理装置と双方向に送受信を行う。通信部１０は、外部処理装置との間で送受信を行うことにより、撮像装置１の各種プログラムデータや推奨度情報テーブルに関するデータを取得する。なお、通信部１０は、有線または無線ＬＡＮ（Local  Area  Network）を介してネットワークに接続される。
【００３８】
制御部１１は、ＣＰＵ（Central  Processing  Unit）等によって実現される。制御部１１は、操作入力部６およびタッチパネル８からの操作信号等に応じて記憶部９のプログラム記憶部９２からプログラムを読み出して実行し、撮像装置１を構成する各部に対して制御信号を送信したりデータを転送したりすることにより、撮像装置１の動作を制御する。
【００３９】
制御部１１の詳細な構成を説明する。制御部１１は、画像処理部１１１と、顔検出部１１２と、特殊効果設定部１１３と、制御限界変更部１１４と、制御限界判定部１１５と、推奨部１１６と、撮影制御部１１７と、表示制御部１１８と、を有する。
【００４０】
画像処理部１１１は、信号処理部２９から出力される画像データに対して各種の画像処理を施す。具体的には、画像処理部１１１は、画像データに対して、少なくともエッジ強調、ホワイトバランス、階調補正、色補正およびγ補正を含む画像処理を行う。画像処理部１１１は、特殊効果処理部１１１ａを有する。
【００４１】
特殊効果処理部１１１ａは、画像データに対して、複数の画像処理を組み合わせることにより視覚的な効果を生じさせる特殊効果処理を行う。この特殊効果処理としては、エッジ強調処理、ぼかし処理、シェーディング追加処理、ノイズパターン重畳処理、画像合成処理、コントラスト処理、隣接色混合処理、色相・彩度変換処理、幾何変換処理、色置換処理、トーンカーブ処理、エッジ混合処理および輪郭線強調処理のいずれか一つ以上を組み合わせた処理である。具体的には、特殊効果処理部１１１ａは、特殊効果情報記憶部９３が記憶する特殊効果情報を参照して、画像データに対して特殊効果処理を行う。
【００４２】
図４は、特殊効果情報記憶部９３が記憶する特殊効果処理における画像処理の組み合わせ情報としての特殊効果処理情報テーブルを示す図である。図４に示すように、特殊効果処理情報テーブルＴ１には、特殊効果の名称、処理の内容、画像処理の組み合わせがそれぞれ記載されている。
【００４３】
ここで、上述した各特殊効果処理について説明する。本実施の形態では、特殊効果処理部１１１ａは、特殊効果処理として水彩、水墨、野獣および点描を行う。
【００４４】
水彩は、水彩絵の具で描いたような淡い仕上がりを表現する特殊効果処理である。
水墨は、墨で描いたような描写ですべての輪郭をモノクロで表現する特殊効果処理である。
野獣は、油絵を荒々しいタッチで塗りたくるような現実的主義的な仕上がりを表現する特殊効果処理である。
点描は、点描風の仕上がりを表現する特殊効果処理である。
【００４５】
また、図４に示すように、特殊効果処理情報テーブルＴ１には、特殊効果が「水彩」の場合、処理の内容として「特殊効果処理１」が記載され、画像処理の組み合わせとして「コントラスト低下処理」、「隣接色混合処理」および「彩度低下処理」がそれぞれ記載されている。このように、特殊効果処理部１１１ａは、特殊効果情報記憶部９３が記憶する特殊効果処理における画像処理の組み合わせ情報を参照して、ユーザによって選択されて設定された特殊効果処理を行う。なお、図４に示す点描効果を出すために、適宜ランダムノイズを重畳するようなプロセスがあるが、このノイズ重畳量は、その時の画像信号増幅率（感度）や被写体の明るさによって目立つノイズがあるので、こうした条件によって切り換えるようにしてもよい。例えば、暗くて撮像信号量が少ないシーンでは、回路から発生している同様のノイズが増幅され画像上で目立つので、この時は、図４の画像処理におけるノイズパターンを重畳しないようにする。これと同様に露出やピント制御上発生する画質変化要因が予測された場合は、あえて図４のような画像処理の強さを変更してもよい。
【００４６】
顔検出部１１２は、画像データに含まれる人物の顔をパターンマッチングによって検出する。なお、顔検出部１１２は、人物の顔だけでなく、犬や猫等の顔を検出してもよい。さらに、顔検出部１１２は、パターンマッチング以外の周知技術を用いて人物の顔を検出してもよい。
【００４７】
特殊効果設定部１１３は、操作入力部６またはタッチパネル８からの操作信号等に応じて、特殊効果情報記憶部９３が記憶する特殊効果処理情報テーブルＴ１を参照して、特殊効果処理部１１１ａが行うべき特殊効果処理を設定する。また、特殊効果設定部１１３は、顔検出部１１２の検出結果に応じて、特殊効果処理部１１１ａに実行させるべき特殊効果処理を設定してもよい。さらに、特殊効果設定部１１３は、撮像装置１に対する設定条件または被写体の条件に応じて、特殊効果処理の組み合わせの配分や強度を変更して特殊効果処理部１１１ａに実行させるべき特殊効果処理を設定してもよい。たとえば、特殊効果設定部１１３は、被写体が暗い場合、点描処理のノイズパターン重畳処理の配分や強度を変更して特殊効果処理部１１１ａに設定するようにしてもよい。
【００４８】
制御限界変更部１１４は、特殊効果設定部１１３が特殊効果処理部１１１ａに設定した特殊効果処理の内容に応じて、撮影前に設定された撮像装置１に対する一または複数の設定条件によって定まる撮影時の制御限界を変更する。ここで、設定条件とは、シャッター部２５のシャッター速度、絞り部２３の絞り値、撮影感度、露出値（ＥＶ値）および露光時間、レンズ部２１の繰り出し量、被写体深度および画角等である。また、制御限界には、シャッター速度、絞り値および撮影感度によって定まる露出の露出限界と、画像データのコントラストおよびレンズ部２１の繰り出し量に基づいて定まる被写体にピントを合わせる際の至近限界が含まれる。さらに、制御限界は、その他の限界、たとえば信号処理部２９による撮影感度の上昇に伴うゲインアップの撮影感度限界、ズーム動作のズーム限界、マニュアルフォーカス（以下、「ＭＦ」という）によるマニュアルフォーカス限界、被写体にピントを合わせる際のレンズ部２１の至近限界、被写体の明るさ限界および手ブレ限界を含む。
【００４９】
制御限界判定部１１５は、制御限界変更部１１４が設定した制御限界に基づいて、撮影制御部１１７による撮像装置１の各種動作の制御が制御限界に達しているか否かを判断する。具体的には、制御限界判定部１１５は、撮影制御部１１７の制御もと、シャッター速度限界、絞り値限界、撮影感度限界、ズーム限界、ＭＦ限界、至近限界、被写体の明るさ限界および手ブレ限界等を判定する。
【００５０】
推奨部１１６は、撮影前に設定された撮像装置１に対する一または複数の設定条件によって定まる撮影時の制御限界に基づいて、特殊効果処理部１１１ａが実行することが可能な複数の特殊効果処理のいずれか一つ以上を推奨する。具体的には、推奨部１１６は、撮影前に設定された撮像装置１に対する一または複数の設定条件によって定まる撮影時の制御限界に基づいて、特殊効果処理部１１１ａに適用可能な特殊効果処理を推奨する。たとえば、推奨部１１６は、制御限界判定部１１５によって撮影感度が撮影感度限界に達していると判定された場合、特殊効果処理部１１１ａが実行可能な複数の特殊効果処理から「点描」を推奨する。
【００５１】
撮影制御部１１７は、静止画レリーズ信号が入力された場合、撮像装置１における撮影動作を開始する制御を行う。ここで、撮像装置１における撮影動作とは、シャッター駆動部２６および撮像駆動部２８の駆動によって撮像素子２７が出力した画像データに対し、信号処理部２９および画像処理部１１１が所定の処理を施す動作をいう。このようにして処理が施された画像データは、制御部１１によって画像データ記憶部９１に記憶される。撮影制御部１１７は、操作入力部６およびタッチパネル８からの操作信号に応じて、レンズ駆動部２２、絞り駆動部２４、撮像駆動部２８および発光部３を制御する。たとえば、撮影制御部１１７は、ズームスイッチ６６から画角を変更する指示信号が入力された場合、レンズ駆動部２２を駆動することにより、レンズ部２１のズームに寄与するレンズ群を光軸Ｌ１上に沿って移動させる。
【００５２】
表示制御部１１８は、メニュースイッチ６５から指示信号が入力された場合、撮像装置１の操作メニュー画面を表示部７に表示させる。また、表示制御部１１８は、制御限界判定部１１５の判定結果に応じて、撮影時において制御限界の内容に対応する情報としてアイコンを表示部７に表示させる。また、表示制御部１１８は、撮影時において各種撮影条件の数値、たとえば、露出値、絞り値、シャッター速度、撮影感度を表示部７に表示させる。さらに、表示制御部１１８は、推奨部１１６が推奨した特殊効果処理に関する情報を表示部７に表示させる。具体的には、表示制御部１１８は、推奨部１１６が推奨した適用可能な特殊効果処理に対応する情報をアイコンとして表示部７に表示させる。
【００５３】
以上の構成を有する撮像装置１において、撮影制御部１１７による制御限界の概要について説明する。図５は、撮影制御部１１７による制御を模式的に説明する図である。図６〜図８は、図５に示す状況下において、撮像素子２７が生成する画像データに対応する画像である。なお、以下において、説明を簡略化するため、レンズ部２１のレンズ群を単レンズのフォーカスレンズで表現する。
【００５４】
図５に示すように、被写体Ｏ１に対してレンズ部２１のピントが合った状態（図５（ａ）、繰り出し量＝０）から被写体Ｏ１が撮像素子２７側に移動した場合（図５（ｂ））、被写体Ｏ１に対してレンズ部２１のピントが合わなくなる。このため、撮影制御部１１７は、レンズ駆動部２２を駆動し、被写体Ｏ１に対してレンズ部２１のピントが合うように、レンズ部２１を光軸Ｌ１上に沿って被写体Ｏ１側に向けて繰り出させる（図５（ｂ）→図５（ｃ））。これにより、撮像素子２７は、被写体Ｏ１にピントが合った画像データ（たとえば図６の画像Ｗ１を参照）を生成することができる。
【００５５】
また、図５（ｃ）に示す状況から被写体Ｏ１がレンズ部２１のピントを合わせられる距離ｄ１より撮像素子２７側に近づいた場合、レンズ部２１の繰り出しが限界（たとえば繰り出し量＝Ｚ１）であるとき、撮像素子２７の撮像面で結像される被写体Ｏ１の像にボケが生じる（ボケ量＝Ｓ１）。具体的には、図７に示すように、被写体Ｏ１がボケた画像Ｗ２になる。このため、撮影制御部１１７は、被写体Ｏ１に対してレンズ部２１のピントを合わせることができない至近限界に達する。なお、図７においては、ボケを点線で表現した。
【００５６】
図５（ｄ）に示す状況下から被写体Ｏ１のボケを低減させる場合、撮影制御部１１７は、絞り駆動部２４を駆動して、絞り部２３の開口（Ｆ値を拡大）を絞りこむことにより（図５（ｅ））、被写体Ｏ１のボケを目立たせなくする。この際、撮像素子２７は、絞り部２３が絞られることによって受光する光量が減少するため、同じ露光時間では十分な露光量を得ることができない。このため、撮影制御部１１７は、信号処理部２９による画像データの増幅の強度を高めることにより、撮影感度を上げる制御を行う。この制御により撮影感度を上げすぎた場合、画像データに含まれるノイズまで強く増幅してしまいノイズの多い画像となり、撮影制御部１１７の制御による適切な露出を得ることができない露出限界に達する。具体的には、図８に示すように、被写体Ｏ１にノイズが多く生じた画像Ｗ３となる。しかし、ユーザによっては、趣向を変えて、作風の一つとしてノイズを敢えて強調して表現したい場合があり、単に撮影制御部１１７による制御限界とするには問題である。すなわち、ユーザが所望する画像表現に従って、制御限界が定まる。なお、図８においては、ノイズを点で表現した。
【００５７】
さらに、図５（ｄ）の状況下で生成されたボケた画像Ｗ３であっても、特殊効果処理部１１１ａが特殊効果処理を行うことによって、画像の表現にバリエーションを増やすことができるとともに、特殊効果処理の内容によっては、撮影制御部１１７による制御限界の許容範囲を拡大することも可能である。たとえば、図９に示すように、図５（ｄ）の状況下で生成されたボケた画像Ｗ２に特殊効果処理として「水彩」を施した場合、ボケた画像Ｗ２が柔らかい線での表現での絵画調の画像Ｗ４になり、ボケを気にすることがなくなる。さらに、図１０に示すように、図５（ｄ）の状況下で生成されたボケた画像Ｗ２に特殊効果処理として「野獣」を施した場合、ボケた画像Ｗ２が荒々しいタッチで塗りたくるような現実主義的な油彩の絵画調の画像Ｗ５となり、もともとのボケが画像の中に紛れることでボケが気にならなくなるだけでなく、独創的な画像になる。
【００５８】
また、図１１に示すように、図５（ｅ）の状況下で生成されたノイズが生じている画像Ｗ３に特殊効果処理として「点描」を施すことによって、点描風の表現でノイズを埋没させることで、絵画的な効果が大きな画像Ｗ６となり、ノイズも作風の一つになる。
【００５９】
そこで、本実施の形態では、ユーザによって選択された特殊効果処理の選択結果に基づいて、制御限界変更部１１４が撮影前に設定された撮像装置１に対する一または複数の設定条件によって定める撮影時の撮影制御部１１７による制御限界を変更する。さらに、本実施の形態では、表示制御部１１８が撮影制御部１１７による制御限界に関する情報を表示部７に表示させるとともに、撮影制御部１１７による制御が制御限界のとき、推奨部１１６によって推奨された適用可能な特殊効果処理に関する情報を表示部７に表示させる。
【００６０】
つぎに、本実施の形態にかかる撮像装置１が行う動作について説明する。図１２は、撮像装置１が行う処理の概要を示すフローチャートである。
【００６１】
図１２において、撮像装置１が撮影モードに設定されている場合について説明する（ステップＳ１０１：Ｙｅｓ）。この場合、制御部１１は、表示部７にメニュー画面を表示させるメニュー表示操作が行われたか否かを判断する（ステップＳ１０２）。具体的には、メニュースイッチ６５が操作されることによりメニュー画面の表示を指示する指示信号が入力されたか否かを判断する。メニュー表示操作が行われた場合（ステップＳ１０２：Ｙｅｓ）、撮像装置１は後述するステップＳ１０３へ移行する。一方、所定時間内（たとえば３秒内）にメニュー表示操作が行われない場合（ステップＳ１０２：Ｎｏ）、撮像装置１は後述するステップＳ１２４へ移行する。
【００６２】
ステップＳ１０２において、メニュー表示操作が行われた場合（ステップＳ１０２：Ｙｅｓ）について説明する。この場合、表示制御部１１８は、メニュー画面を表示部７に表示させる（ステップＳ１０３）。具体的には、図１３に示すように、表示制御部１１８は、メニュー画面Ｗ１０を表示部７に表示させる。メニュー画面Ｗ１０には、撮像装置１の各種操作の指示信号の入力を受け付けるアイコンＡ１〜Ａ５が含まれる。アイコンＡ１は、特殊効果処理（アートフィルタ）に関する操作メニュー画面を表示部７に表示させる指示信号の入力を受け付けるアイコンである。アイコンＡ２は、撮像装置１の露出を調整する操作メニュー画面を表示部７に表示させる指示信号の入力を受け付けるアイコンである。アイコンＡ３は、ストロボに関する操作メニュー画面を表示部７に表示させる指示信号の入力を受け付けるアイコンである。アイコンＡ４は、撮像装置１の各種設定、たとえばアスペクトやファイル形式に関する操作メニュー画面を表示部７に表示させる指示信号の入力を受け付けるアイコンである。アイコンＡ５は、セルフ撮影に関するメニュー画面を表示部７に表示させる指示信号の入力を受け付けるアイコンである。なお、表示制御部１１８は、ユーザがタッチしたアイコンをタッチパネル８から入力される指示信号に応じて識別可能な表示態様、たとえば色や点滅等で表示させてもよい。
【００６３】
続いて、アイコンＡ１が操作されることにより、特殊効果処理が選択された場合（ステップＳ１０４：Ｙｅｓ）、表示制御部１１８は、特殊効果処理の一覧を表示する特殊効果操作メニュー画面を表示部７に表示させる（ステップＳ１０５）。具体的には、図１４に示すように、表示制御部１１８は、特殊効果処理に関する特殊効果処理操作メニュー画面Ｗ１１を表示部７に表示させる。水彩アイコンＡ１１は、水彩処理を特殊効果処理部１１１ａに行わせる指示信号の入力を受け付けるアイコンである。野獣アイコンＡ１２は、野獣処理を特殊効果処理部１１１ａに行わせる指示信号の入力を受け付けるアイコンである。点描アイコンＡ１３は、点描処理を特殊効果処理部１１１ａに行わせる指示信号の入力を受け付けるアイコンである。水墨アイコンＡ１４は、水墨処理を特殊効果処理部１１１ａに行わせる指示信号の入力を受け付けるアイコンである。中止アイコンＡ１５は、特殊効果処理部１１１ａに設定した特殊効果処理の中止を指示する指示信号の入力を受け付けるアイコンである。
【００６４】
ステップＳ１０５の後、点描アイコンＡ１３が操作されることにより、特殊効果処理として点描が選択されて設定された場合（ステップＳ１０６：Ｙｅｓ）、特殊効果設定部１１３は、タッチパネル８から入力された指示信号に応じて、特殊効果処理部１１１ａが実行すべき特殊効果処理として「点描」を設定し、特殊効果処理部１１１ａは、特殊効果情報記憶部９３が記憶する特殊効果処理情報テーブルＴ１（図４）を参照して、特殊効果設定部１１３によって設定された「点描」の処理内容に対応する特殊効果処理４を実行する（ステップＳ１０７）。なお、この時、制御限界を超えた操作での撮影が行われた場合、これによって発生することが予測されるノイズ分を減らして、画像処理におけるノイズパターンレベルを設定するようにする。
【００６５】
続いて、表示制御部１１８は、ユーザによる操作結果を反映したライブビュー画像を表示部７に表示させる（ステップＳ１０８）。たとえば、図１５に示すように、表示制御部１１８は、撮像部２によって生成された画像データに対して、特殊効果処理部１１１ａが元の画像に対して点描処理を施したライブビュー画像Ｗ１２を表示部７に表示させる。さらに、表示制御部１１８は、表示部７が表示しているライブビュー画像Ｗ１２に施されている特殊効果処理に関する情報をアイコン、たとえば点描アイコンＡ２１として表示部７に表示させる。これにより、ユーザは、表示部７で表示されるライブビュー画像を見ながら選択した特殊効果処理の内容を直ぐに確認することができる。
【００６６】
その後、撮像装置１は、撮影制御部１１７による制御限界によって各構成部の制御限界である場合に警告表示および制御限界に応じた特殊効果処理の推奨を行う表示処理を実行する（ステップＳ１０９）。なお、表示処理の詳細は後述する。
【００６７】
続いて、表示制御部１１８は、表示処理後に推奨部１１６によって特殊効果処理が推奨されている場合（ステップＳ１１０：Ｙｅｓ）、推奨する特殊効果処理に関する情報を表示部７に表示させる（ステップＳ１１１）。たとえば、図１６に示すように、表示制御部１１８は、表示部７が表示するライブビュー画像Ｗ１２中に、推奨部１１６によって推奨された特殊効果に関する情報としてアイコンＡ３１を表示させる。アイコンＡ３１は、推奨部１１６によって推奨された特殊効果処理の一覧を表示するメニュー画面（たとえば図１７を参照）を表示部７に表示させる指示信号の入力を受け付けるアイコンである。図１７は、メニュー画面の表示例を示す図である。さらに、表示制御部１１８は、制御限界判定部１１５によって撮影制御部１１７が制御限界であると判定された場合、制御限界の内容、たとえば至近限界であることを示すアイコンＡ３２をアイコンＡ３１と合わせて表示部７に表示させる。
【００６８】
その後、制御部１１は、タッチパネル８から入力される指示信号に応じて特殊効果処理に関するアイコンＡ３１が選択されたか否かを判断する（ステップＳ１１２）。特殊効果処理に関するアイコンＡ３１が選択された場合（ステップＳ１１２：Ｙｅｓ）、撮像装置１はステップＳ１０６へ戻る。一方、所定時間内（たとえば３秒内）に特殊効果処理に関するアイコンＡ３１が選択されていない場合（ステップＳ１１２：Ｎｏ）、撮像装置１はステップＳ１１３へ移行する。
【００６９】
ステップＳ１１３において、レリーズスイッチ６２が操作されることによりレリーズ信号が入力された場合（ステップＳ１１３：Ｙｅｓ）、撮像装置１は、撮影制御部１１７の制御のもと、画像データを記憶部９の画像データ記憶部９１に記録する（ステップＳ１１４）。
【００７０】
続いて、電源スイッチ６１が操作されることにより、撮像装置１の電源が電源オフされた場合（ステップＳ１１５：Ｙｅｓ）、撮像装置１は一連の処理を終了する。一方、電源スイッチ６１が操作されていない場合（ステップＳ１１５：Ｎｏ）、撮像装置１はステップＳ１０１へ戻る。
【００７１】
ステップＳ１１３において、所定時間内（たとえば３秒内）にレリーズスイッチ６２の操作がない場合（ステップＳ１１３：Ｎｏ）、撮像装置１はステップＳ１１５へ移行する。
【００７２】
ステップＳ１０６において、点描アイコンＡ１３が選択されず（ステップＳ１０６：Ｎｏ）、水墨アイコンＡ１４が選択された場合（ステップＳ１１６：Ｙｅｓ）、特殊効果設定部１１３は、タッチパネル８から入力された指示信号に応じて、特殊効果処理部１１１ａが行うべき特殊効果処理として水墨処理を設定し、特殊効果処理部１１１ａは、特殊効果情報記憶部９３が記憶する特殊効果処理情報テーブルＴ１を参照して、特殊効果設定部１１３によって設定された水墨処理の内容に対応する特殊効果処理２を画像データに実行する（ステップＳ１１７）。その後、撮像装置１はステップＳ１０８へ移行する。
【００７３】
ステップＳ１０６において、点描アイコンＡ１３および水墨アイコンＡ１４が選択されず（ステップＳ１０６：Ｎｏ，ステップＳ１１６：Ｎｏ）、野獣アイコンＡ１２が操作された場合（ステップＳ１１８：Ｙｅｓ）、特殊効果設定部１１３は、タッチパネル８から入力された指示信号に応じて、特殊効果処理部１１１ａが行うべき特殊効果処理として野獣処理を設定し、特殊効果処理部１１１ａは、特殊効果情報記憶部９３が記憶する特殊効果処理情報テーブルＴ１を参照して、特殊効果設定部１１３によって設定され野獣処理の内容に対応する特殊効果処理３を画像データに実行する（ステップＳ１１９）。その後、撮像装置１はステップＳ１０８へ移行する。
【００７４】
ステップＳ１０６において、点描アイコンＡ１３、水墨アイコンＡ１４および野獣アイコンＡ１２が選択されず（ステップＳ１０６：Ｎｏ，ステップＳ１１６：Ｎｏ，ステップＳ１１８：Ｎｏ）、水彩アイコンＡ１１が選択された場合（ステップＳ１２０：Ｙｅｓ）、特殊効果設定部１１３は、タッチパネル８から入力された指示信号に応じて、特殊効果処理部１１１ａが行うべき特殊効果処理として水彩処理を設定し、特殊効果処理部１１１ａは、特殊効果情報記憶部９３が記憶する特殊効果処理情報テーブルＴ１を参照し、特殊効果設定部１１３によって設定された水彩処理の内容に対応する特殊効果処理１を画像データに実行する（ステップＳ１２１）。その後、撮像装置１はステップＳ１０８へ移行する。
【００７５】
ステップＳ１０６において、点描アイコンＡ１３，水墨画アイコンＡ１４、野獣アイコンＡ１２および水彩アイコンＡ１１が選択されず（ステップＳ１０６：Ｎｏ，ステップＳ１１６：Ｎｏ，ステップＳ１１８：Ｎｏ，ステップＳ１２０：Ｎｏ）、中止アイコンＡ１５が操作された場合（ステップＳ１２２：Ｙｅｓ）、撮像装置１はステップＳ１０８へ移行する。一方、所定時間内（たとえば３秒内）に中止アイコンＡ１５が選択されない場合（ステップＳ１２２：Ｎｏ）、撮像装置１はステップＳ１０６へ戻る。
【００７６】
ステップＳ１０４において、特殊効果処理に関する特殊効果アイコンＡ１が選択されていない場合（ステップＳ１０４：Ｎｏ）について説明する。この場合、制御部１１は、他のアイコン操作に応じた処理を実行し（ステップＳ１２３）、撮像装置１はステップＳ１０８へ移行する。
【００７７】
つぎに、ステップＳ１０２において、メニュー表示操作が行われていない場合（ステップＳ１０２：Ｎｏ）について説明する。この場合において、撮像装置１の露出や画角等を手動で調整するマニュアル操作が行われた場合（ステップＳ１２４：Ｙｅｓ）、制御部１１は、各種設定のパラメータを切換えるパラメータ切換処理を実行する（ステップＳ１２５）。なお、パラメータ切換処理の詳細については後述する。
【００７８】
続いて、撮影制御部１１７は、パラメータ切換処理によって切換えられた各種設定のパラメータに対応した露出制御を実行し（ステップＳ１２６）、撮像装置１はステップＳ１０８へ移行する。
【００７９】
ステップＳ１２４において、マニュアル操作が行われていない場合（ステップＳ１２４：Ｎｏ）について説明する。この場合、撮影制御部１１７は、露出およびピントを自動で調整するＡＥ・ＡＦ処理を実行し（ステップＳ１２７）、撮像装置１はステップＳ１０８へ移行する。なお、ＡＥ・ＡＦ処理の詳細については後述する。
【００８０】
つぎに、ステップＳ１０１において、撮像装置１が撮影モードに設定されていない場合（ステップＳ１０１：Ｎｏ）について説明する。この場合において、撮像装置１が再生モードに設定されているとき（ステップＳ１２８：Ｙｅｓ）、表示制御部１１８は、画像データ記憶部９１が記憶する画像データを表示部７に表示させる（ステップＳ１２９）。
【００８１】
続いて、画像データを再生する終了操作が行われた場合（ステップＳ１３０：Ｙｅｓ）、撮像装置１はステップＳ１１５へ移行する。一方、画像データの再生を終了する操作が行われていない場合（ステップＳ１３０：Ｎｏ）、撮像装置１はステップＳ１２８へ戻る。
【００８２】
ステップＳ１２８において、撮像装置１が再生モードに設定されていない場合（ステップＳ１２８：Ｎｏ）、撮像装置１はステップＳ１１５へ戻る。
【００８３】
つぎに、図１２に示したステップＳ１２５のパラメータ切換処理について説明する。図１８は、図１２に示すパラメータ切換処理の概要を示すフローチャートである。
【００８４】
図１８に示すように、撮像部２のピントを切換えるＭＦ切換操作または画角を切換えるズーム切換操作が行われた場合（ステップＳ２０１：Ｙｅｓ）、制御限界判定部１１５は、ＭＦ切換操作による撮像部２のピント合わせＭＦ限界またはズーム切換操作による撮像部２の画角を変更するズーム限界であるか否かを判定する（ステップＳ２０２）。ＭＦ限界またはズーム限界である場合（ステップＳ２０２：Ｙｅｓ）、制御限界判定部１１５は、撮像部２がＭＦ限界またはズーム限界であると判定し（ステップＳ２０３）、撮像装置１は図１２に示したメインルーチンに戻る。
【００８５】
これに対して、ＭＦ限界およびズーム限界それぞれが制御限界でない場合（ステップＳ２０２：Ｎｏ）、撮影制御部１１７は、ＭＦ切換操作またはズーム切換操作に応じて、レンズ駆動部２２を駆動してレンズ部２１を光軸Ｌ１上に沿って移動させることにより、撮像部２のピントの切換または撮像部２の画角の切換を行う（ステップＳ２０４）。その後、撮像装置１は図１２に示したメインルーチンに戻る。
【００８６】
ステップＳ２０１において、ＭＦ切換操作またはズーム切換操作がなく（ステップＳ２０１：Ｎｏ）、撮像部２の絞りを切換える絞り切換操作が行われた場合（ステップＳ２０５：Ｙｅｓ）、制御部１１は、特殊効果設定部１１３によって特殊効果処理部１１１ａに実行させる特殊効果処理として水彩処理または水墨処理が設定されているか否かを判断する（ステップＳ２０６）。特殊効果処理部１１１ａに実行させる特殊効果処理として水彩処理または水墨処理が設定されている場合（ステップＳ２０６：Ｙｅｓ）、撮像装置１は後述するステップＳ２０７へ移行する。一方、特殊効果処理部１１１ａに実行させる特殊効果処理として水彩処理または水墨処理が設定されていない場合（ステップＳ２０６：Ｎｏ）、撮像装置１は後述するステップＳ２１１へ移行する。
【００８７】
ステップＳ２０６において、特殊効果処理部１１１ａに実行させる特殊効果処理として水彩処理または水墨処理が設定されている場合（ステップＳ２０６：Ｙｅｓ）について説明する。この場合、制御限界変更部１１４は、特殊効果処理部１１１ａに実行させる特殊効果処理として設定された水彩処理または水墨処理に応じて、絞り値の制御限界を記録する画像データの画素ピッチ幅αを用いてＦ＞５αに変更して設定する（ステップＳ２０７）。
【００８８】
図１９は、制御限界変更部１１４が変更して設定する絞り値の制御限界を概念的に説明する図である。図１９に示す横軸が絞り値（Ｆ値）を示し、縦軸が撮像素子２７に結像される結像スポット径を示す。また、曲線ｃ１が絞り値と結像スポット径との関係を示している。さらに、Ｋ１が絞り値の理論値を示し、Ｋ２が実際に回折限界によりボケが生じる絞り値を示す。一般に絞り値が大きいほど像の明るさが暗く、スポット径が大きいほど性能が悪い。
【００８９】
図１９に示すように、制御限界変更部１１４は、絞り値を回折の影響により画像が悪化する領域Ｄ１になるように絞り値の制御限界を、ユーザによって撮影前に設定された絞り値およびシャッター速度にとって定まる初期状態の絞り値から変更して設定する。具体的には、結像スポット径をε、絞り値をＦ、使用する光の波長をλとすると、回折限界の理論式により、
ε＝１．２２Ｆλ      ・・・（１）
となる。
一方、画像データ記憶部９１に記憶する画像データの画素ピッチをα（μｍ）、撮像素子２７の解像限界はαを用いて１／２αで表される。
したがって、絞り値が撮像素子２７の解像限界を超えて小さくならないようにするためには、
１．２２Ｆλ＞２α      ・・・（２）
を満たす必要がある。つまり、
Ｆ＞１．６４α／λ      ・・・（３）
を満足させることが条件となる。
ここで、撮影で使用する可視光線の波長をλ＝５４６（ｎｍ）とすると、
Ｆ＞３．０×α／１      ・・・（４）
となり、Ｆ値の理論限界の条件式が求まる（絞り値Ｋ１）。
一方、絞り値を絞り込んでいくと（絞り値Ｆを２→２．８→・・・→１１）、回折限界が生じる。このため、式（４）のＦ値に対して２段明るい絞り値（絞り値Ｋ２）から画像にボケが生じる。したがって、
Ｆ＞１．５α      ・・・（５）
をＦ値の限界の条件式として用いる。
【００９０】
このように、制御限界変更部１１４は、特殊効果設定部１１３によって特殊効果処理部１１１ａに設定された特殊効果処理の内容に応じて、絞り値を上述した式（５）を満たすように変更して設定する。たとえば、制御限界変更部１１４は、特殊効果設定部１１３によって特殊効果処理部１１１ａに設定された特殊効果処理が点描処理であり、記録する画像データの画素ピッチαが５（μｍ）である場合、Ｆ値の限界の条件式をＦ＞５αとなるように変更して設定する。また、制御限界変更部１１４は、特殊効果設定部１１３によって特殊効果処理部１１１ａに設定された特殊効果処理が水彩処理または水墨処理であり、記録する画像データの画素ピッチαが５（μｍ）である場合、Ｆ値の限界の条件式をＦ＞３ａとなるように変更して設定する。これにより、制御限界変更部１１４は、特殊効果設定部１１３によって特殊効果処理部１１１ａに設定される特殊効果処理の内容に応じて、絞り値の制御限界を変更して設定するので、撮影制御部１１７による露出限界を緩和することができる。なお、制御限界変更部１１４は、特殊効果処理に組み合わせられた画像処理の強度、たとえばコントラストの強度や彩度に応じて、絞り値を設定するようにしてもよい。
【００９１】
図１８に戻り、ステップＳ２０８以降の説明を続ける。ステップＳ２０８において、制御限界判定部１１５は、絞り切換操作による撮像部２の絞り値が絞り限界（Ｆ＞５α）に達しているか否かを判断する。絞り値が絞り限界に達している場合（ステップＳ２０８：Ｙｅｓ）、制御限界判定部１１５は、絞り切換操作による絞り値が絞り限界であると判定し（ステップＳ２０９）、撮像装置１は図１２に示したメインルーチンに戻る。
【００９２】
これに対して、絞り値が絞り限界に達していない場合（ステップＳ２０８：Ｎｏ）、撮影制御部１１７は、絞り切換操作に応じた操作量に基づいて、絞り駆動部２４を駆動し、絞り部２３の絞りを切換え（ステップＳ２１０）、撮像装置１は図１２に示したメインルーチンに戻る。
【００９３】
ステップＳ２０６において、特殊効果処理部１１１ａに行わせる特殊効果処理として水彩処理または水墨処理が設定されていない場合（ステップＳ２０６：Ｎｏ）について説明する。この場合、制御限界判定部１１５は、絞り切換操作による撮像部２の絞り値が絞り限界（Ｆ＞３α）に達したか否かを判断する（ステップＳ２１１）。絞り値が絞り限界に達している場合（ステップＳ２１１：Ｙｅｓ）、制御限界判定部１１５は、絞り切換操作による絞り値が絞り限界であると判定し（ステップＳ２１２）、撮像装置１は図１２に示したメインルーチンに戻る。
【００９４】
これに対して、絞り値が絞り限界に達していない場合（ステップＳ２１１：Ｎｏ）、撮影制御部１１７は、絞り切換操作に応じた操作量に基づいて、絞り駆動部２４を駆動し、絞り部２３の絞りを切換え（ステップＳ２１３）、撮像装置１は図１２に示したメインルーチンに戻る。
【００９５】
つぎに、ＭＦ切換操作、ズーム切換操作および絞り切換操作がなく（ステップＳ２０１：Ｎｏ，ステップＳ２０５：Ｎｏ）、撮像部２のシャッター速度切換操作が行われた場合（ステップＳ２１４：Ｙｅｓ）について説明する。この場合、制御限界判定部１１５は、シャッター速度切換操作による撮像部２のシャッター速度がシャッター速度限界に達したか否かを判定する（ステップＳ２１５）。シャッター速度がシャッター速度限界に達した場合（ステップＳ２１５：Ｙｅｓ）、制御限界判定部１１５は、シャッター速度がシャッター速度限界であると判定し（ステップＳ２１６）、撮像装置１は図１２に示したメインルーチンに戻る。
【００９６】
これに対して、シャッター速度がシャッター速度限界に達してない場合（ステップＳ２１５：Ｎｏ）、撮影制御部１１７は、シャッター速度切換操作に応じた操作量に基づいて、シャッター速度を切換え（ステップＳ２１７）、撮像装置１は図１２に示したメインルーチンに戻る。
【００９７】
つぎに、ＭＦ切換操作またはズーム切換操作、絞り切換操作およびシャッター速度切換操作がなく（ステップＳ２０１：Ｎｏ，ステップＳ２０５：Ｎｏ，ステップＳ２１４：Ｎｏ）、撮像部２の撮影感度切換操作が行われた場合（ステップＳ２１８：Ｙｅｓ）について説明する。この場合、制御部１１は、特殊効果設定部１１３によって特殊効果処理部１１１ａに特殊効果処理として点描処理が設定されているか否かを判断する（ステップＳ２１９）。特殊効果処理部１１１ａに特殊効果処理として点描処理が設定されている場合（ステップＳ２１９：Ｙｅｓ）、撮像装置１は後述するステップＳ２２０へ移行する。一方、特殊効果処理部１１１ａに特殊効果処理として点描処理が設定されていない場合（ステップＳ２１９：Ｎｏ）、撮像装置１は後述するステップＳ２２４へ移行する。
【００９８】
ステップＳ２１９において、特殊効果設定部１１３によって特殊効果処理部１１１ａに特殊効果処理として点描処理が設定されている場合（ステップＳ２１９：Ｙｅｓ）について説明する。この場合、制御限界変更部１１４は、特殊効果処理部１１１ａに特殊効果処理として設定された点描処理に応じて、撮影感度の撮影感度限界をＩＳＯ６４００に変更して設定する（ステップＳ２２０）。
【００９９】
続いて、制御限界判定部１１５は、撮影感度切換操作による撮像部２の撮影感度がＩＳＯ６４００以上であるか否かを判定する（ステップＳ２２１）。撮像部２の撮影感度がＩＳＯ６４００以上である場合（ステップＳ２２１：Ｙｅｓ）、制御限界判定部１１５は、撮像部２の撮影感度が限界であると判定し（ステップＳ２２２）、撮像装置１は図１２に示したメインルーチンに戻る。
【０１００】
これに対して、撮像部２の撮影感度がＩＳＯ６４００以上でない場合（ステップＳ２２１：Ｎｏ）、撮影制御部１１７は、撮影感度切換操作による撮影感度に応じて、信号処理部２９が撮像素子２７から出力される画像データに対して行う増幅（ゲイン調整）のレベルを切換え（ステップＳ２２３）、撮像装置１は図１２に示したメインルーチンに戻る。
【０１０１】
ステップＳ２１９において、特殊効果設定部１１３によって特殊効果処理部１１１ａに特殊効果処理として点描処理が設定されていない場合（ステップＳ２１９：Ｎｏ）について説明する。この場合、制御限界判定部１１５は、撮影感度切換操作による撮像部２の撮影感度がＩＳＯ１６００以上であるか否かを判定する（ステップＳ２２４）。撮像部２の撮影感度がＩＳＯ１６００以上である場合（ステップＳ２２４：Ｙｅｓ）、制御限界判定部１１５は、撮像部２の撮影感度が撮影感度限界であると判定し（ステップＳ２２５）、撮像装置１は図１２に示すメインルーチンに戻る。
【０１０２】
これに対して、撮像部２の撮影感度がＩＳＯ１６００以上でない場合（ステップＳ２２４：Ｎｏ）、撮影制御部１１７は、撮影感度切換操作による撮影感動に応じて、信号処理部２９が撮像素子２７から出力される画像データに対して行う増幅のレベルを切換え（ステップＳ２２６）、撮像装置１は図１２に示したメインルーチンに戻る。
【０１０３】
つぎに、図１２に示したステップＳ１２７のＡＦ・ＡＥ処理について説明する。図２０は、図１２に示すＡＦ・ＡＥ処理の概要を示すフローチャートである。
【０１０４】
図２０に示すように、撮影制御部１１７は、レンズ駆動部２２を駆動し、レンズ部２１を光軸Ｌ１上に沿って移動を開始し（ステップＳ３０１）、撮像素子２７が順次生成した画像データに基づいて、コントラストの検出を開始する（ステップＳ３０２）。
【０１０５】
続いて、制御限界判定部１１５は、撮像素子２７が順次生成した画像データのコントラストがレンズ部２１の至近で増加しているか否かを判定する（ステップＳ３０３）。画像データのコントラストがレンズ部２１の至近で増加している場合（ステップＳ３０３：Ｙｅｓ）、制御限界判定部１１５は、レンズ部２１の至近限界であると判定する（ステップＳ３０４）。
【０１０６】
その後、撮影制御部１１７は、レンズ駆動部２２の駆動を停止し、レンズ部２１を至近限界の位置で停止させ（ステップＳ３０５）、撮像装置１は後述するステップＳ３０７へ移行する。
【０１０７】
ステップＳ３０３において、画像データのコントラストがレンズ部２１の至近で増加していない場合（ステップＳ３０２：Ｎｏ）について説明する。この場合、撮影制御部１１７は、レンズ駆動部２２を駆動し、レンズ部２１を光軸Ｌ１上に沿って移動させながら画像データのコントラストがピークになる位置で停止させ（ステップＳ３０６）、撮像装置１は後述するステップＳ３０７へ移行する。
【０１０８】
ステップＳ３０７において、制御部１１は、信号処理部２９を介して撮像素子２７から出力される画像データに基づいて、被写体までの距離を検出し（ステップＳ３０７）、被写体の明るさを検出する（ステップＳ３０８）。
【０１０９】
続いて、撮影制御部１１７は、制御限界判定部１１５によってレンズ部２１が至近限界であると判定されている場合（ステップＳ３０９：Ｙｅｓ）、プログラム線図情報記憶部９５が記憶するプログラム線図と被写体の明るさにと基づいて、絞り値、シャッター速度および撮影感度それぞれを設定する（ステップＳ３１０）。
【０１１０】
その後、制御部１１は、特殊効果設定部１１３によって特殊効果処理部１１１ａに特殊効果処理として点描処理が設定されているか否かを判断する（ステップＳ３１１）。特殊効果処理部１１１ａに特殊効果処理として点描処理が設定されている場合（ステップＳ３１１：Ｙｅｓ）、撮像装置１は後述するステップＳ３１２へ移行する。一方、特殊効果処理部１１１ａに特殊効果処理として点描処理が設定されていない場合（ステップＳ３１１：Ｎｏ）、撮像装置１は後述するステップＳ３１４へ移行する。
【０１１１】
ステップＳ３１２において、制御限界判定部１１５は、撮影制御部１１７によって設定された撮影感度がＩＳＯ６４００以上であるか否かを判定する。撮影感度がＩＳＯ６４００以上である場合（ステップＳ３１２：Ｙｅｓ）、制御限界判定部１１５は、被写体の明るさが明るさ限界であると判定し（ステップＳ３１３）、撮像装置１は図１２に示したメインルーチンに戻る。一方、撮影感度がＩＳＯ６４００以上でない場合（ステップＳ３１２：Ｎｏ）、撮像装置１は図１２に示したメインルーチンに戻る。
【０１１２】
ステップＳ３１４において、制御限界判定部１１５は、撮影制御部１１７によって設定された撮影感度がＩＳＯ１６００以上であるか否かを判定する。撮影感度がＩＳＯ１６００以上である場合（ステップＳ３１４：Ｙｅｓ）、制御限界判定部１１５は、被写体の明るさが限界であると判定し（ステップＳ３１５）、撮像装置１は図１２に示したメインルーチンに戻る。一方、撮影感度がＩＳＯ１６００以上でない場合（ステップＳ３１４：Ｎｏ）、撮像装置１は図１２に示したメインルーチンに戻る。
【０１１３】
ステップＳ３０９において、制御限界判定部１１５によってレンズ部２１の至近限界であると判定されていない場合（ステップＳ３０９：Ｎｏ）について説明する。この場合、制御部１１は、特殊効果設定部１１３によって特殊効果処理部１１１ａに特殊効果処理として水彩処理、水墨処理または点描処理のいずれかが設定されているか否かを判断する（ステップＳ３１６）。特殊効果処理部１１１ａに特殊効果処理として処理水彩、水墨処理または点描処理のいずれかが設定されている場合（ステップＳ３１６：Ｙｅｓ）、制御限界変更部１１４は、絞り部２３の絞り値をＦ＞５αに変更して設定し（ステップＳ３１７）、撮像装置１は後述するステップＳ３１９へ移行する。
【０１１４】
これに対して、特殊効果処理部１１１ａに特殊効果処理として水彩処理、水墨処理または点描処理のいずれも設定されていない場合（ステップＳ３１６：Ｎｏ）、制御限界変更部１１４は、絞り部２３の絞り値をＦ＞３αに変更して設定し（ステップＳ３１８）、撮像装置１は後述するステップＳ３１９へ移行する。
【０１１５】
ステップＳ３１９において、撮影制御部１１７は、プログラム線図情報記憶部９５が記憶するプログラム線図と絞り値とに基づいて、シャッター速度および撮影感度を設定する。
【０１１６】
続いて、制御部１１は、特殊効果設定部１１３によって特殊効果処理部１１１ａに特殊効果処理として点描処理が設定されているか否かを判断する（ステップＳ３２０）。特殊効果処理部１１１ａに特殊効果処理として点描処理が設定されている場合（ステップＳ３２０：Ｙｅｓ）、撮像装置１は後述するステップＳ３２１へ移行する。一方、特殊効果処理部１１１ａに特殊効果処理として点描処理が設定されていない場合（ステップＳ３２０：Ｎｏ）、撮像装置１は後述するステップＳ３２３へ移行する。
【０１１７】
ステップＳ３２１において、制御限界判定部１１５は、撮影制御部１１７によって設定された撮影感度がＩＳＯ６４００以上であるか否かを判定する。撮影感度がＩＳＯ６４００以上である場合（ステップＳ３２２：Ｙｅｓ）、制御限界判定部１１５は、被写体の明るさが明るさ限界であると判定し（ステップＳ３２２）、撮像装置１は図１２に示したメインルーチンに戻る。一方、撮影感度がＩＳＯ６４００以上でない場合（ステップＳ３２１：Ｎｏ）、撮像装置１は図１２に示したメインルーチンに戻る。
【０１１８】
ステップＳ３２３において、制御限界判定部１１５は、撮影制御部１１７によって設定された撮影感度がＩＳＯ１６００以上であるか否かを判定する。撮影感度がＩＳＯ１６００以上である場合（ステップＳ３２３：Ｙｅｓ）、被写体の明るさが明るさ限界であると判定し（ステップＳ３２４）、撮像装置１は図１２に示したメインルーチンに戻る。一方、撮影感度がＩＳＯ１６００以上でない場合（ステップＳ３２３：Ｎｏ）、撮像装置１は図１２に示したメインルーチンに戻る。
【０１１９】
つぎに、図１２に示したステップＳ１０９の表示処理について説明する。図２１は、図１２に示した表示処理の概要を示すフローチャートである。
【０１２０】
図２１に示すように、制御限界判定部１１５によってレンズ部２１のＭＦ限界またはズーム限界であると判定されている場合（ステップＳ４０１：Ｙｅｓ）、表示制御部１１８は、ＭＦ限界またはズーム限界であることを示す警告を表示部７に表示させ（ステップＳ４０２）、撮像装置１はステップＳ４０３へ移行する。一方、制御限界判定部１１５によってレンズ部２１のＭＦ限界またはズーム限界でないと判定されている場合（ステップＳ４０１：Ｎｏ）、撮像装置１はステップＳ４０３に移行する。
【０１２１】
続いて、制御限界判定部１１５によってシャッター部２５のシャッター速度限界であると判定された場合（ステップＳ４０３：Ｙｅｓ）、表示制御部１１８は、シャッター速度限界であることを示す警告を表示部７に表示させ（ステップＳ４０４）、撮像装置１はステップＳ４０５へ移行する。一方、制御限界判定部１１５によってシャッター部２５のシャッター速度限界でないと判定されている場合（ステップＳ４０３：Ｎｏ）、撮像装置１はステップＳ４０５へ移行する。
【０１２２】
その後、制御限界判定部１１５によって絞り部２３の絞り限界であると判定されている場合（ステップＳ４０５：Ｙｅｓ）、表示制御部１１８は、絞り部２３が絞り限界であることを示す警告を表示部７に表示させ（ステップＳ４０６）、撮像装置１はステップＳ４０７へ移行する。一方、制御限界判定部１１５によって絞り部２３の絞り限界でないと判定されている場合（ステップＳ４０５：Ｎｏ）、撮像装置１はステップＳ４０７へ移行する。
【０１２３】
続いて、制御限界判定部１１５によって撮影感度が撮影感度限界であると判定されている場合（ステップＳ４０７：Ｙｅｓ）、表示制御部１１８は、撮影感度が撮影感度限界であることを示す警告を表示部７に表示させ（ステップＳ４０８）、撮像装置１はステップＳ４０９へ移行する。一方、制御限界判定部１１５によって撮影感度が撮影感度限界でないと判定されている場合（ステップＳ４０７：Ｎｏ）、撮像装置１はステップＳ４０９へ移行する。
【０１２４】
ステップＳ４０９において、制御限界判定部１１５によって被写体の明るさが明るさ限界であると判定されている場合（ステップＳ４０９：Ｙｅｓ）について説明する。この場合、制御部１１は、特殊効果設定部１１３によって特殊効果処理部１１１ａに特殊効果処理として野獣処理が設定されているか否かを判断する（ステップＳ４１０）。特殊効果処理部１１１ａに特殊効果処理として野獣処理が設定されている場合（ステップＳ４１０：Ｙｅｓ）、撮像装置１は後述するステップＳ４１１へ移行する。一方、特殊効果処理部１１１ａに特殊効果処理として「野獣」が設定されていない場合（ステップＳ４１０：Ｎｏ）、撮像装置１は後述するステップＳ４１３へ移行する。
【０１２５】
ステップＳ４１１において、撮像装置１に設定されたシャッター部２５のシャッター速度が１／１０以上である場合（ステップＳ４１１：Ｙｅｓ）、表示制御部１１８は、撮影時に手ブレが生じやすくなることを示す警告を表示部７に表示させる（ステップＳ４１２）。具体的には、表示制御部１１８は、図２２に示すように、表示部７が表示する画像Ｗ１３中に撮影時に手ブレが生じやすくなることを示す警告をアイコンＡ３１として表示部７に表示させる。その後、撮像装置１は後述するステップＳ４１６へ移行する。一方、シャッター速度が１／１０以上でない場合（ステップＳ４１１：Ｎｏ）、撮像装置１は後述するステップＳ４１６へ移行する。
【０１２６】
ステップＳ４１３において、撮像装置１に設定されたシャッター部２５のシャッター速度が１／１００以上である場合（ステップＳ４１３：Ｙｅｓ）、表示制御部１１８は、撮影時に手ブレが生じやすくなることを示す警告を表示部７に表示させる（ステップＳ４１４）。
【０１２７】
続いて、推奨部１１６は、撮影時に各種設定された撮像装置１の撮影条件における限界情報に基づいて、特殊効果処理として野獣処理を推奨し（ステップＳ４１５）、撮像装置１は後述するステップＳ４１６へ移行する。
【０１２８】
ステップＳ４１３において、撮像装置１に設定されたシャッター部２５のシャッター速度が１／１００以上でない場合（ステップＳ４１３：Ｎｏ）、撮像装置１は後述するステップＳ４１６へ移行する。
【０１２９】
ステップＳ４１６において、制御限界判定部１１５によって至近限界であると判定されている場合（ステップＳ４１６：Ｙｅｓ）について説明する。この場合、制御部１１は、特殊効果設定部１１３によって特殊効果処理部１１１ａに特殊効果処理として水彩処理または水墨処理が設定されているか否かを判断する（ステップＳ４１７）。特殊効果処理部１１１ａに特殊効果処理として水彩処理または水墨処理が設定されている場合（ステップＳ４１７：Ｙｅｓ）、表示制御部１１８は、至近限界であることを示す警告を表示部７に表示させ（ステップＳ４１８）、撮像装置１は図１２に示したメインルーチンに戻る。
【０１３０】
ステップＳ４１７において、特殊効果処理部１１１ａに特殊効果処理として水彩処理または水墨処理が設定されていない場合（ステップＳ４１７：Ｎｏ）について説明する。この場合、表示制御部１１８は、至近限界であることを示す警告を表示部７に表示させる（ステップＳ４１９）。
【０１３１】
続いて、推奨部１１６は、撮影時に推奨する特殊効果処理として水彩処理、水墨処理または点描処理を設定し（ステップＳ４２０）、撮像装置１は図１２に示したメインルーチンに戻る。
【０１３２】
ステップＳ４１６において、制御限界判定部１１５によって至近限界であると判定されていない場合（ステップＳ４１６：Ｎｏ）、撮像装置１は図１２に示したメインルーチンに戻る。
【０１３３】
以上説明した本発明の一実施の形態によれば、制御限界変更部１１４が選択された特殊効果処理の内容に基づいて、撮影前に設定された撮像装置１に対して一または複数の設定条件によって定まる撮影時の制御限界を変更する。これにより、撮影時に設定された撮像装置１の設定条件によって定まる制御限界を緩和することができ、撮影できる範囲を拡大することができる。
【０１３４】
さらに、本発明の一実施の形態によれば、制御限界変更部１１４が撮影した画像データを画像データ記憶部９１に記憶する際の画素ピッチに応じて、敢えて画像にボケが生じるように絞り部２３の絞りを設定し、特殊効果処理部１１１ａがボケた画像に特殊効果処理を施すので、より撮影できる範囲を拡大することができるとともに、特殊効果処理によって画像のボケを目立たせなくすることができる。
【０１３５】
また、本発明の一実施の形態によれば、推奨部１１６が撮影前に設定された撮像装置１に対する一または複数の設定条件によって定まる撮影時の制御限界に基づいて、特殊効果処理部１１１ａが実行可能な特殊効果処理のいずれか一つ以上を推奨し、表示制御部１１８が推奨部１１６によって推奨された特殊効果処理に関する情報を表示部７に表示させる。これにより、撮影時に設定された撮像装置１の設定条件によって定まる制御限界に適した特殊効果処理の選択の指針となる情報をユーザに提示することができる。
【０１３６】
さらにまた、本発明の一実施の形態によれば、表示制御部１１８が制御限界判定部１１５によって撮影制御部１１７による制御を制御限界であると判定した場合、表示部７に制御限界であることを示す情報を表示部７に表示させるとともに、推奨部１１６によって推奨された特殊効果処理に関する情報を表示部７に表示させる。これにより、ユーザは、表示部７が表示するライブビュー画像を見ながら特殊効果処理の選択または撮像装置１の設定条件の変更を行うことができる。
【０１３７】
なお、本発明の一実施の形態では、特殊効果処理部１１１ａが実行可能な特殊効果処理として水彩、水墨、野獣、点描を例に挙げたが、他の特殊効果処理も実行することができる。たとえば、図２３に示すように、特殊効果処理部１１１ａは、特殊効果情報記憶部９３が記憶する特殊効果処理情報テーブルＴ２を参照して、画像データに対して特殊効果処理を行ってもよい。さらに。推奨部１１６は、特殊効果情報記憶部９３が記憶する特殊効果処理情報テーブルＴ２を参照して、撮影制御部１１７による制御限界に応じて推奨する特殊効果処理を変更してもよい。たとえば、推奨部１１６は、特殊効果処理の「水墨」に換えて、特殊効果処理の画像処理の特徴として、彩度、コントラストおよびＷＢ（ホワイトバランス）がほぼ同じ「ラフモノクローム」を推奨するようにしてもよい。
【０１３８】
ここで、図２３に示した各特殊効果処理について説明する。
ファンタジックフォーカスは、柔らかいトーンの中で空気感を表現しつつ、被写体のディティールを残しながら幸福な光に包まれたように美しく幻想的に表現する特殊効果処理である。
ポップアートは、色をカラフルに強調し、明るく楽しい雰囲気に表現する特殊効果処理である。
ラフモノクロームは、モノクロ写真ならではの力強さ、荒々しさを表現する特殊効果処理である。
【０１３９】
また、本発明の一実施の形態では、特殊効果処理部１１１ａは、画像データに対して補助的な視覚的な効果を生じさせる特殊補助効果処理を行ってもよい。この特殊補助効果処理としては、画像データに対して、ぼかし処理、シェーディング追加処理、ノイズパターン重畳処理のいずれか一つを行う処理である。これにより、撮影制御部１１７が撮影感度を上げて撮影する場合であっても、特殊効果処理部１１１ａが画像データに対してノイズパターン重畳処理を行うことにより、画像に生じたノイズを隠すことができるので、制御限界の許容範囲を緩和することができる。
【０１４０】
また、本発明の一実施の形態では、通信部１０を介してパーソナルコンピュータやサーバ等の外部処理装置に接続することによって、特殊効果情報記憶部９３が通信部１０を介して受信した情報に基づいて特殊効果処理情報テーブルＴ１の更新または書き換えを行ってもよい。さらに、記憶部９に装着可能な記憶媒体、たとえばメモリカード等に新たに追加された特殊効果処理の処理内容を記憶させ、制御部１１が記憶媒体から新たに追加された特殊効果の処理内容を取得し、取得した特殊効果処理の処理内容を特殊効果情報記憶部９３に記憶させることで特殊効果処理情報テーブルの更新または書き換えを行ってもよい。
【０１４１】
また、本発明の一実施の形態では、撮像装置１をデジタルカメラとして説明していたが、たとえばデジタル一眼レフカメラ、デジタルビデオカメラ、携帯電話やタブレット型携帯機器等の撮影機能および表示機能を備えた各種電子機器に適用することができる。
【符号の説明】
【０１４２】
１            撮像装置
２            撮像部
３            発光部
４            測光部
５            タイマー
６            操作入力部
７            表示部
８            タッチパネル
９            記憶部
１０          通信部
１１          制御部
２１          レンズ部
２２          レンズ駆動部
２３          絞り部
２４          絞り駆動部
２５          シャッター部
２６          シャッター駆動部
２７          撮像素子
２８          撮像駆動部
２９          信号処理部
６１          電源スイッチ
６２          レリーズスイッチ
６３          撮影モード切換スイッチ
６４          操作スイッチ
６５          メニュースイッチ
６６          ズームスイッチ
９１          画像データ記憶部
９２          プログラム記憶部
９３          特殊効果情報記憶部
９４          画素ピッチ情報記憶部
９５          プログラム線図情報記憶部
１１１        画像処理部
１１１ａ      特殊効果処理部
１１２        顔検出部
１１３        特殊効果設定部
１１４        制御限界変更部
１１５        制御限界判定部
１１６        推奨部
１１７        撮影制御部
１１８        表示制御部
【図１】
0005769461.tif 000002
【図２】
0005769461.tif 000003
【図３】
0005769461.tif 000004
【図４】
0005769461.tif 000005
【図５】
0005769461.tif 000006
【図６】
0005769461.tif 000007
【図７】
0005769461.tif 000008
【図８】
0005769461.tif 000009
【図９】
0005769461.tif 000010
【図１０】
0005769461.tif 000011
【図１１】
0005769461.tif 000012
【図１２】
0005769461.tif 000013
【図１３】
0005769461.tif 000014
【図１４】
0005769461.tif 000015
【図１５】
0005769461.tif 000016
【図１６】
0005769461.tif 000017
【図１７】
0005769461.tif 000018
【図１８】
0005769461.tif 000019
【図１９】
0005769461.tif 000020
【図２０】
0005769461.tif 000021
【図２１】
0005769461.tif 000022
【図２２】
0005769461.tif 000023
【図２３】
0005769461.tif 000024